(57)【要約】【課題】庇自体を容易に製作でき且つ建物への取り付けが容易で外観意匠性に優れた庇を提供する。【解決手段】平面視がほぼ矩形の底面板２と、係る底面板２の上面に補強部材８を介して固着され且つ建物側に突出する固定部１０を有する一対のブラケットｂ１，ｂ２と、上記底面板２の上面で且つ上記ブラケットｂ１，ｂ２が配置されない位置に固着された芯材ｓと、係る芯材ｓの上端で且つ上記ブラケットｂ１，ｂ２が配置されない位置に固着された上面板３ａ〜３ｃと、を含む、庇１。【選択図】  図２
2005207006.tif 000002
【特許請求の範囲】
【請求項１】
平面視がほぼ矩形の底面板と、
上記底面板の上面に直接または補強部材を介して固着され且つ建物側に突出する固定部を有するブラケットと、
上記底面板の上面で且つ上記ブラケットが配置されない位置に固着された芯材と、
上記芯材の上端で且つ上記ブラケットが配置されない位置に固着された上面板と、
を含む、ことを特徴する庇。
【請求項２】
前記ブラケットは、前記底面板における建物の外壁と平行な幅方向の中間、または両端、あるいは中間と両端とに複数配置される、
ことを特徴する請求項１に記載の庇。
【請求項３】
前記ブラケットは、前記底面板に対して建物側の前記固定部が高くなるように傾斜している、
ことを特徴する請求項１または２に記載の庇。
【請求項４】
前記底面板に対して傾斜している前記ブラケットは、その先端寄りの下辺が斜めに切断されており、係る傾斜辺の付近を前記底面板の上面に直接または補強部材を介して固着されている、
ことを特徴する請求項３に記載の庇。
【請求項５】
前記底面板、芯材、および上面板からなるパネルの先端側、建物側、および建物の外壁と平行な幅方向の両側の四側面に雨樋が配設されている、
ことを特徴する請求項１乃至４の何れか一項に記載の庇。
【請求項６】
前記底面板、芯材、および上面板からなるパネルの先端側、建物側、および建物の外壁と平行な幅方向の両側の四側面に雨樋が配設されていると共に、
上記パネルの先端側に位置する雨樋の水受け面は、係るパネルの建物側の雨樋の水受け面よりも高い位置にあり、これらの雨樋同士の間を接続する上記パネルにおける両側の雨樋の水受け面は、上記建物側の雨樋の水受け面に向けて低くなるように傾斜している、
ことを特徴する請求項１乃至５の何れか一項に記載の庇。
【請求項７】
前記底面板、芯材、および上面板からなるパネルの先端側、建物側、および建物の外壁と平行な幅方向の両側の四側面に雨樋が配設されていると共に、
上記四側面の各雨樋における水受け面の高さは、上記パネルの上面板より計って同じ高さにあり、係るパネルは、建物側に向かって下がる水勾配を形成するように前記ブラケットを介して建物に固定される、
ことを特徴する請求項１乃至５の何れか一項に記載の庇。
【請求項８】
前記パネルの両側の雨樋は、断面ほぼＨ字形の押出形材からなり、互いに平行な上フランジおよび下フランジの長手方向に対して前記水受け面が傾斜するように、上記押出形材を斜めに切断したものである、
ことを特徴する請求項６に記載の庇。
【発明の詳細な説明】
【技術分野】
【０００１】
本発明は、建物の玄関や窓などの屋外面の上方に取り付けられる庇に関する。
【背景技術】
【０００２】
庇は、一般に複数の枠材と、その屋根面、軒先面、および底面を覆う金属表面板と、上記枠材の基端に固定した金具とを有し、係る金具を介し且つ釘やボルトなどを用いて、当該建物に取り付けられている(例えば、特許文献１参照)。
しかしながら、上記庇は、枠材と金属表面板とにより形成される庇本体の組立に製作工数を要すると共に、釘やネジを露出させないため、例えば屋根面の金属表面板の側辺が複雑な折り曲げ構造と成らざるを得ない、という問題があった。
【０００３】
一方、一対の金属表面板とその間に充填したコア材(芯材)とからなるサンドイッチパネルからなる大型の陸庇も提案されている(例えば、特許文献２参照)。この陸庇は、ビルの車寄せなどの上方を覆う大きなサイズのものであって、建物内の鉄骨などの構造体に連結されて支持される。
しかし、上記陸庇のような大型の庇では、例えば一般の住宅の玄関用庇や窓用庇に適用することは、極めて困難であった。
【０００４】
【特許文献１】特開平６−２８８０３０号公報
【特許文献２】特開２００１−３２４７４号公報
【発明の開示】
【発明が解決しようとする課題】
【０００５】
本発明は、前述した背景技術を考慮し、庇自体を容易に製作でき且つ建物への取り付けが容易で外観意匠性に優れた庇を提供する、ことを課題とする。
【課題を解決するための手段および発明の効果】
【０００６】
本発明は、上記課題を解決するため、庇本体にサンドイッチパネルを用いると共に、係るパネルに対し建物へ取り付けるブラケットを一体に形成する、ことに着想して成されたものである。
即ち、本発明の庇(請求項１)は、平面視がほぼ矩形の底面板と、係る底面板の上面に直接または補強部材を介して固着され且つ建物側に突出する固定部を有するブラケットと、上記底面板の上面で且つ上記ブラケットが配置されない位置に固着された芯材と、係る芯材の上端で且つ上記ブラケットが配置されない位置に固着された上面板と、を含む、ことを特徴する。
【０００７】
これによれば、底面板と上面板との間に芯材が固着により充填されたサンドイッチパネルを庇本体とし、係るパネルに一体化されたブラケットとを備えた庇となる。このため、庇自体を容易に製作でき且つ建物への取り付けも容易にできると共に、外観意匠性(建築デザイン性)に優れた庇となる。
尚、上記固着には、接着やロウ付けなどが含まれる。上記底面板および上面板には、金属薄板のほか、耐候性を有する樹脂板を用いても良い。また、上記芯材は、アルミニウム箔や紙やセラミックなどのハニカムコア材、同様な素材からなり多数の円筒形を呈するコア材、硬質発泡ポリウレタン、水酸化アルミウレタン、炭酸カルシウム発泡板などで接着可能または接着性を有するものが含まれる。更に、上記ブラケットには、アルミニウム合金からなる押出形材や角形鋼管などが用いられる。加えて、上記補強部材には、断面凹形または断面逆ハット形のアルミニウム合金からなる押出形材や型鋼が用いられる。
【０００８】
また、本発明には、複数前記ブラケットは、前記底面板における建物の外壁と平行な幅方向の中間、または両端、あるいは中間と両端とに配置される、庇(請求項２)も含まれる。
これによれば、複数のブラケットを介して庇を強固に建物へ取り付けられると共に、これらのブラケット同士の間や底面板の幅方向の両端寄りの底面板上に上面板が配置されため、庇全体の外観意匠性を優れたものに高めることができる。尚、２つのブラケットが底面板の幅方向の両端に配置される形態では、１枚の上面板となる。
尚、以下本明細書において、「幅方向の中間」とは、建物の外壁と平行な方向における中間を言い、「幅方向の両端」とは、建物の外壁と平行な方向における両端を言う。
【０００９】
更に、本発明には、前記ブラケットは、前記底面板に対して建物側の前記固定部が高くなるように傾斜している、庇(請求項３)も含まれる。これによれば、庇全体の外観意匠性を一層優れたものにすることができる。
また、本発明には、前記底面板に対して傾斜している前記ブラケットは、その先端寄りの下辺が斜めに切断されており、係る傾斜辺の付近を前記底面板の上面に直接または補強部材を介して固着されている、庇(請求項４)も含まれる。
これによれば、傾斜したブラケットは、底面板に対して強固に固着されるため、その傾斜した姿勢を維持しつつサンドイッチパネル構造の庇自体を確実に建物に支持することができる。
尚、上記ブラケットは、断面角形、断面日字形、底辺のない断面ほぼ日字形のアルミニウム合金からなる押出形材や角形鋼管などが用いられる。
また、以下本明細書において、「先端」とは、建物側と反対の軒先(屋外)側を指す。
【００１０】
更に、本発明には、前記底面板、芯材、および上面板からなるパネルの先端側、建物側、および建物の外壁と平行な幅方向の両側の四側面に雨樋が配設されている、庇(請求項５)も含まれる。これによれば、通常はサンドイッチパネルの四側面に沿って用いられる縁材を雨樋と兼用化できるため、雨樋機能を庇に持たせることができると共に、庇を形成する上記パネルの化粧にもなる。
また、本発明には、前記底面板、芯材、および上面板からなるパネルの先端側、建物側、および建物の外壁と平行な幅方向の両側の四側面に雨樋が配設されていると共に、上記パネルの先端側に位置する雨樋の水受け面は、係るパネルの建物側の雨樋の水受け面よりも高い位置にあり、これらの雨樋同士の間を接続する上記パネルにおける両側の雨樋の水受け面は、上記建物側の雨樋の水受け面に向けて低くなるように傾斜している、庇(請求項６)も含まれる。
これによれば、上記パネルの四側面を全て雨樋によって化粧しつつ被覆できると共に、雨水を建物寄りの位置から縦樋などを介して排水できる。このため、庇の先端側に雨水落下用の鎖を垂らしたり、独立した柱を建てこれに縦樋を取り付ける必要がなくなるため、外観意匠性と施工性の双方の観点から良好となる。
【００１１】
更に、本発明には、前記底面板、芯材、および上面板からなるパネルの先端側、建物側、および建物の外壁と平行な幅方向の両側の四側面に雨樋が配設されていると共に、上記四側面の各雨樋における水受け面の高さは、上記パネルの上面板より計って同じ高さにあり、係るパネルは、建物側に向かって下がる水勾配を形成するように前記ブラケットを介して建物に固定される、庇(請求項７)も含まれる。これによれば、雨樋自体に水勾配のための傾斜を形成する必要がなくなるので、係る雨樋の製作および庇の組み立てが容易となる。
尚、上記雨樋には、断面ほぼＨ字形のアルミニウム合金からなる押出形材を用いられる。このうち、先端側や建物側の雨樋は、上記形材の断面で仕切壁の下側に位置する一対のフランジと上側でパネル寄りのフランジとをパネル側に折り曲げたものが用いられる。また、四側面の雨樋は、前記パネルの底面板と上面板との周囲に配置した断面角形の押出形材などからなる縁材を固定しても良い。
【００１２】
加えて、本発明には、前記記パネルの両側の雨樋は、断面ほぼＨ字形の押出形材からなり、互いに平行な上フランジおよび下フランジの長手方向に対して前記水受け面が傾斜するように、上記押出形材を斜めに切断したものである、庇(請求項８)も含まれる。
これによれば、上記パネルの両側に対して各雨樋を体裁良く配置できると共に、先端側や当該両側の雨樋に落下した雨水を、建物側へ確実に排水させることができる。
尚、一般にサンドイッチパネルは、その四周に縁枠を底面板と上面板との間に配設する形態と、上面板および底面板の少なくとも一方を折り曲げて四周部を形成する形態とがあるが、本発明に用いるパネル（サンドイッチパネル）は、その何れかに限定されるものではない。但し、次述する実施の形態では、前者の形態によって説明している。
また、本発明にあっては、接着以外の固着方法、例えばロウ付けによる固着方法（手段）を用いたり、ネジ結合やボルト・ナット結合が可能な箇所において、ネジ結合や、ボルト・ナット結合を固着手段として利用しても良い。
【発明を実施するための最良の形態】
【００１３】
以下において、本発明を実施するための最良の形態について説明する。
図１は、本発明の庇１を示す斜視図、図２は、図１中のＡ−Ａ線に沿った矢視の断面図、図８は、図１中のＣ−Ｃ線に沿った矢視の断面図、図１１は、図１中のＤ−Ｄ線に沿った矢視の断面図、図１３は、図１中のＥ−Ｅ線に沿った矢視における断面図である。
この庇１は、図１，２に示すように、平面視が長方形(矩形)の底面板２と、係る底面板２の上面に断面ほぼ逆ハット形の補強部材８を介して接着(固着)され且つ図１で奥寄りの建物側に固定部１０が突出するブラケットｂ１，ｂ２と、底面板２の上面で且つブラケットｂ１，ｂ２が配置されない位置のほぼ全面に接着(固着)された芯材ｓと、係る芯材ｓの上端でブラケットｂ１，ｂ２が配置されない位置のほぼ全面に接着(固着)された上面板３ａ，３ｂ，３ｃとを備えている。尚、上記接着には、エポキシ系またはホットメルト系の接着剤が用いられている。
【００１４】
図１に示すように、上記一対のブラケットｂ１，ｂ２は、底面板２における建物の外壁(図示せず)と平行な幅方向の中間に配置されるが、底面板２における幅方向の両端または両端寄りに配置しても良い。
上記底面板２および上面板３ａ，３ｂ，３ｃは、アルミニウム合金の薄板からなり、芯材ｓは、アルミニウム箔からなる多数の円筒体を立設し且つ平面視で千鳥状に配置したものである。係る上記底面板２、芯材ｓ、および上面板３ａ，３ｂ，３ｃは、サンドイッチパネル(パネル)Ｐを形成している。
また、補強部材８は、アルミニウム合金の押出形材からなり、図２に示すように、水平片８ａ、一対の垂直片８ｂ、および一対の上フランジ８ｃを図２の奥行き方向の全長に沿って有する。
【００１５】
上記ブラケットｂ１，ｂ２は、図２，３に示すように、アルミニウム合金からなり且つ断面ほぼ底辺のない日の字形の押出形材を次述するように切断加工したもので、図１で奥寄りの建物側から図１の手前寄りの先端側に向け傾斜して下がる天板１２と、左右一対の上フランジ１４と、天板１２と平行で且つ傾斜した隔壁１３と、係る隔壁１３の左右から垂下する左右一対の下フランジ１６とを一体に備えている。天板１２、一対の上フランジ１４、および隔壁１３の間には、これらに囲まれた断面長方形の中空部１５が位置し、隔壁１３および一対の下フランジ１６の間には、下向きに開口する凹溝１７が位置している。
【００１６】
図３の斜視図と該図３中のＢ−Ｂ線に沿った矢視の断面図である図４とで示すように、ブラケットｂ１，ｂ２の上・下フランジ１４，１６の下端には、先細状に傾斜した傾斜辺ｋが形成され、且つ上フランジ１４の先端側には、ほぼ天板１２のみを突出させる切り欠き部１１が形成されている。また、下フランジ１６の建物側には、鈎形で且つ上下２段の切り欠き部１８，１９が形成され、且つ後端側の切り欠き部１９よりも建物寄りの位置には、天板１２、上フランジ１４，１４、および隔壁１３からなり側面視がほぼ台形の固定部１０が突出している。
【００１７】
図５〜７は、ブラケットｂ１，ｂ２の加工工程を示し、図５に示すように、予めアルミニウム合金からなる断面ほぼ底辺のない日字形の押出形材ｂを用意する。係る押出形材ｂは、天板１２と、左右一対の上フランジ１４と、天板１２と平行な隔壁１３と、係る隔壁１３の左右から垂下する左右一対の下フランジ１６とを一体に備え、且つ中空部１５および凹溝１７を長手方向の全長に沿って形成している。
次に、図６に示すように、押出形材ｂにおける長手方向の一端(先端)側から左右一対の上フランジ１４と、隔壁１３と、左右一対の下フランジ１６とを斜めに切断して、左右の上・下フランジ１４，１６の下側に傾斜辺ｋを形成する。
更に、図７に示すように、図示で右端(先端)寄りの上フランジ１４，１４を鈎形に切り欠いて切り欠き部１１を形成すると共に、図示で左端(建物側)寄りの下フランジ１６，１６を上下２段に鈎形に切り欠いて切り欠き部１８，１９を形成する。切り欠き部１９の上方には、隔壁１３の底面が露出し、且つ建物側に突出する固定部１０が形成される。これにより、前記ブラケットｂ１，ｂ２が得られる。
【００１８】
以上のようなブラケットｂ１，ｂ２は、図２に示すように、底面板２の上面に予め水平片８ａを接着された補強部材８が固定され、係る補強部材８における左右一対の垂直片８ｂに、当該ブラケットｂ１，ｂ２の上フランジ１４または下フランジ１６の下部がネジｎにより固定されている。
尚、上記ネジｎは、建物側または先端側の付近では、上記垂直片８ｂおよび上・下フランジ１４，１６の下部と共に、パネルＰの先端側および建物側に配置される後述する断面ロ字形の補強用縁部材６と補強部材８の垂直片８ｂとを連結する連結用アングル９の一片をも、併せてネジ止めしている。
【００１９】
図１，８に示すように、庇１のパネルＰにおける幅方向の両側には、長方形の中空部７を内蔵する断面ロ字形の補強用縁部材６が、底面板２と上面板３ｂ，３ｃとの間に配置される。係る縁部材６の上・下面と、両側の雨樋２０におけるパネル寄りの上下一対の内曲げ片２６，２８とは、接着剤により固着されている。また、係る雨樋２０の外曲げ片２５および内曲げ片２８と底面板２とは、接着剤により固着され、内曲げ片２８と上面板３ｂ，３ｃとも、接着剤により固着されている。
【００２０】
パネルＰにおける幅方向の両側の雨樋２０は、図９の斜視図で示すように、先端側(図９中の左側)から建物側(図９中の右側)に向けて低くなるように傾斜した仕切壁２１、先端側の上フランジ２３、先端側の下フランジ２４、係る下フランジ２４をパネルＰ寄りに断面で直角に折り曲げた外曲げ片２５、パネルＰ寄りの上下一対の内フランジ２７，２９、および係る内フランジ２７，２９をパネルＰ寄りに直角に折り曲げた上下一対の内曲げ片２６，２８とを一体に備えている。仕切壁２１の上面は、水受け面２２である。
【００２１】
上記両側の雨樋２０は、図１０に示すように、所定長さに切断した断面ほぼＨ字形で縦長の押出形材２０ａを切断加工することで形成される。押出形材２０ａは、水平な仕切壁２１と、上フランジ２３，２７と、下フランジ２４，２９とを互いに平行に備えている。そして、押出形材２０ａを図１０中の一点鎖線に沿って切断した後、残った上フランジ２７と下フランジ２４，２９とを図示で手前寄りに直角に折り曲げて内曲げ片２６，２８を形成する。この結果、互いに平行な上フランジ２３，２７および下フランジ２４，２９と、これらの長手方向に対して傾斜する水受け面２２を有する仕切壁２１とを備える両側の雨樋２０となる。
【００２２】
以上のような雨樋２０は、図８に示すように、予め当該雨樋２０の内フランジ２７，２９と内曲げ片２６，２８との間に補強用縁部材６を嵌合し、内フランジ２７，２９および内曲げ片２６，２８と、補強用縁部材６の縦片６ａおよび上・下辺とが、接着剤を介して固着される。尚、係る接着剤に替えて、ネジなどを用いて固定しても良い。更に、雨樋２０の外曲げ片２５と内曲げ片２８とを、底面板２の幅方向の両側辺に沿って、接着剤を介して接着する。
そして、図８に示すように、補強用縁部材６の縦片６ｂと、係る縁部材６およびパネルＰの先端側辺および建物側辺に沿って配置される補強用縁部材６の間に跨って配置される連結用アングル５の一片とが、ネジｎによりネジ止めされる。尚、補強用縁部材６、前記補強部材８、および連結用アングル５，９に囲まれた空間４に芯材ｓが接着により充填された後、その上端と雨樋２０の内曲げ片２８や縁材６などの上面とに跨って、上面板３ａ，３ｂ，３ｃが接着剤により固着される。
【００２３】
図１，１１に示すように、庇１のパネルＰにおける先端側にも、前記同様の補強用縁部材６が底面板２と上面板３ａ(３ｂ，３ｃ)との間に配置され、係る縁部材６の上下には、先端側の雨樋３０におけるパネル寄りの上下一対の内曲げ片３６，３８が、底面板２と上面板３ａ(３ｂ，３ｃ)とに個別に接着されている。
パネルＰの先端側の雨樋３０も、前記押出形材２０ａまたはこれと同様な形材を仕切壁２１に沿って切断し且つ折り曲げ加工したもので、図１２の斜視図で示すように、水平な仕切壁３１、先端側の上フランジ３３、先端側の下フランジ３４、係る下フランジ３４を断面で直角に折り曲げた外曲げ片３５、パネルＰ寄りの上下一対の内フランジ３７，３９、および係る内フランジ３７，３９をパネルＰ寄りに直角に折り曲げた上下一対の内曲げ片３６，３８とを一体に備えている。仕切壁３１の上面は、水受け面３２であり、且つ前記両側の雨樋２０の水受け面２２における先端側の最高レベルと同じ高さである。尚、雨樋３０の長手方向の両端には、両側の雨樋２０の先端部を受け入れるため、先端側の上・下フランジ３３，３４を除いて切除した切り欠き部３０ａが対称に形成されている。
【００２４】
以上のような雨樋３０も、図１１に示すように、予め当該雨樋３０の内フランジ３７，３９と内曲げ片３６，３８との間に補強用縁部材６を嵌合し、内フランジ３７，３９および内曲げ片３６，３８と、補強用縁部材６の縦片６ａおよび上・下片とが、接着剤を介して固着される。尚、係る接着剤に替えて、ネジなどを用いて固定しても良い。更に、雨樋３０の外曲げ片３５と内曲げ片３８とが、底面板２の軒先側辺に沿って接着される。そして、補強用縁部材６の縦片６ｂと、係る縁部材６およびパネルＰの両側に沿って配置される補強用縁部材６の間に跨って配置される連結用アングル５の一片とが、ネジｎによりネジ止めされる。
【００２５】
図１，１３に示すように、庇１のパネルＰにおける建物側にも、前記同様の補強用縁部材６が底面板２と上面板３ａ(３ｂ，３ｃ)との間に配置され、係る縁部材６の縦片６ｂおよび上・下片と、建物側の雨樋４０におけるパネル寄りの上下一対の内フランジ４７，４９および内曲げ片４６，４８とが、接着剤を介して固着されている。尚、係る接着剤に替えて、ネジなどを用いて固定しても良い。
パネルＰの建物側の雨樋４０も、前記押出形材２０ａまたはこれと同様な押出形材を切断および折り曲げ加工したもので、図１４の斜視図で示すように、水平な仕切壁４１、建物側の上フランジ４３、建物側の下フランジ４４、係る下フランジ４４をパネルＰ寄りに直角に折り曲げた外曲げ片４５、パネルＰ寄りの上下一対の内フランジ４７，４９、および係る内フランジ４７，４９をパネルＰ寄りに直角に折り曲げた上下一対の内曲げ片４６，４８とを一体に備えている。仕切壁４１の上面は、水受け面４２であり、且つ前記両側の雨樋２０の水受け面２２における建物側の最底レベルと同じ高さである。
【００２６】
尚、雨樋４０の長手方向の両端にも、両側の雨樋２０の建物側部分を受け入れるため、屋外側の上・下フランジ４３，４４を除いて、切り欠き部４０ａが対称に形成されると共に、仕切り壁４１と水受け面４２は、両端で外側に露出する。
以上のような雨樋４０も、図１３に示すように、予め当該雨樋４０の内フランジ４７，４９と内曲げ片４６，４８との間に補強用縁部材６を嵌合し、内フランジ４７，４９および内曲げ片４６，４８と、上記縁部材６の縦片６ａおよび上・下片とが、接着剤を介して固着される。更に、雨樋４０の外曲げ片４５と内曲げ片４８とが、底面板２の建物側に沿って接着される。尚、係る接着剤に替えて、ネジなどを用いて固定しても良い。
そして、図１３に示すように、補強用縁部材６の縦片６ｂと、係る縁部材６およびパネルＰの両側に沿って配置される補強用縁部材６の間に跨って配置される連結用アングル５の一片とが、ネジｎにより固定される。
【００２７】
尚、前記両側の雨樋３０および建物側の雨樋４０は、それらの長手方向の全長に亘って同じ断面形状であるため、外曲げ片３５，４５、内曲げ片３６，３８，４６，４８の部分を予め折り曲げた断面形状の押出形材を用いても良く、この形態の場合には、上記押出形材の切断および必要な切り欠き加工のみで済む。
また、上記形態とした場合、図２５，２６に示すように、内曲げ片３６，３８，４６，４８の内端間に垂直壁３０ａ，４０ａを立設して中空部３０ｂ，４０ｂを有する雨樋３０′，４０′としても良い。係る雨樋３０′，４０′では、図２５，２６に示すように、前記補強用縁部材６を省略して、連結用アングル５と垂直壁３０ａ，４０ａとをネジｎで直接固定することができる。
【００２８】
以上のような庇１の製造工程を、エポキシ系接着剤を用いる形態につき図１５〜１８に基づいて説明する。
予め、事前に雨樋２０，３０，４０に、補強用縁部材６を接着またはネジｎにより固着あるいは固定しておく。
次に、図１５に示すように、予め図示しない定盤の上に載置した底面板２の四辺に沿って両側の雨樋２０，２０、軒先側の雨樋３０、および建物側の雨樋４０を、それぞれ補強用縁部材６と共に配置し且つエポキシ系接着剤を用いて接着する。また、先端側の雨樋３０と建物側の雨樋４０との間に、一対の補強部材８を平行に配置し、それらの水平片８ａを底面板２に個別に接着する。係る補強部材８の垂直片８ｂ，８ｂと先端側および建物側の補強用縁部材６との間のコーナー部に跨って、連結用アングル９を個別に配置する。
【００２９】
次いで、図１６に示すように、ブラケットｂ１(ｂ２)の上・下フランジ１４，１６の下部が補強部材８の垂直片８ｂ，８ｂの内側面に隣接して挿入され、連結用アングル９と共にネジｎにより固定される。また、両側の雨樋２０，２０、先端側の雨樋３０、および建物側の雨樋４０に嵌合され且つ接着された補強用縁部材６，６間に跨る各コーナー部に連結用アングル５が個別に配置され、且つネジｎによりそれぞれ固定される。
尚、連結用アングル９の先端側および建物側の垂直片は、図１６の中央付近に示すように、先端側の雨樋３０と建物側の雨樋４０とに嵌合・固着された補強用縁部材６に隣接し且つこれらとネジｎにより固定される。
【００３０】
次に、図１７に示すように、底面板２の四辺に位置する４つの補強用縁部材６、連結用アングル５，９、および補強部材８に囲まれた底面板２の上面全体に接着剤を塗布し、芯材ｓを接着する。係る芯材ｓは、ブラケットｂ１，ｂ２により３分割された偏平な空間４に個別に挿入され且つ接着される。
そして、３つの芯材ｓの上端、両側の雨樋２０，２０、先端側の雨樋３０、および建物側の雨樋４０の内曲げ片２６，３６，４６の上面、および補強部材８の上フランジ８ｃの上面に接着剤を塗布した後、図１８に示すように、これらの上に上面板３ａ，３ｂ，３ｃを個別に接着する。その結果、図１８および前記図１に示す本発明の庇１を得ることができる。
【００３１】
尚、前記図１で示したように、建物側の雨樋４０における仕切壁４１の水受け面４２は、長手方向の両端で開口しており、図示しない縦樋などに連通する。
また、ホットメルト系接着剤を用いる製造方法では、当該接着剤を前記各部位に配置しつつ図１５〜図１８の工程を図示しない治具を用いて拘束しつつ行った後、庇１全体を拘束し且つ所要温度に加熱して、上記接着剤を溶かして接着する。その後、治具による拘束を解除することで、庇１が得られる。
【００３２】
以上のような庇１によれば、底面板２と上面板３ａ，３ｂ，３ｃとの間に芯材ｓが充填・接着されたサンドイッチパネルＰを庇本体とし、係るパネルＰに一体化されたブラケットｂ１，ｂ２を備えているため、庇１自体を容易に製作でき且つ建物への取り付けも容易にできると共に、外観意匠性も優れたものとなる。また、ブラケットｂ１，ｂ２は、底面板２に対して傾斜して接着されるため、その傾斜した姿勢を維持しつつサンドイッチパネル構造の庇１自体を確実に建物に支持することができる。しかも、パネルＰの四側面を全て雨樋２０，３０，４０によって化粧しつつ被覆され、雨水を建物寄りの位置から縦樋などを介して排水できるため、庇の先端側に雨水落下用の鎖や独立した柱を建ててこれに縦樋を取り付ける必要性がなくなり、外観意匠性と施工性との双方が向上した庇１となる。
【００３３】
図１９は、異なる形態の庇１ａを示す斜視図である。この庇１ａも、平面視が長方形(矩形)の底面板２と、係る底面板２の上面の幅方向における中間に接着され且つ図１９で奥寄りの建物側に固定部５９が突出するブラケットｂ３，ｂ４と、底面板２の上面で且つブラケットｂ３，ｂ４が配置されない位置のほぼ全面に接着された芯材ｓ(図示せず)と、係る芯材ｓの上端でブラケットｂ３，ｂ３が配置されない位置のほぼ全面に接着された上面板３ａ，３ｂ，３ｃとを備えている。
図１９に示すように、ブラケットｂ３，ｂ４は、上面板３ａ，３ｂ，３ｃと平行な直方体形状を呈すると共に、底面板２、芯材ｓ、および上面板３ａ，３ｂ，３ｃからなるサンドイッチパネルＰの四側面には、前記同様に両側の雨樋２０，２０、先端側の雨樋３０、および建物側の雨樋４０が配設されている。
【００３４】
図２０の分解斜視図で示すように、ブラケットｂ３，ｂ４は、断面日字形の前記同様の押出形材からなり、水平な天板５２および底板５５と、左右一対の縦板５４と、天板５２および底板５５と平行な隔壁５３と、係る隔壁５３の上下に位置する一対の中空部５６とを備えている。図２０で手前寄りに位置する先端側の下半部には、隔壁５３を残した立方体形状の切り欠き部５７が形成されると共に、同図で奥行き寄りの建物側の下半部には、隔壁５３を残した立方体形状の切り欠き部５８が形成され、且つ建物側に固定部５９が突出している。
尚、図２０で手前(先端)寄りの上方に位置する中空部５６の端部は、上記切り欠き部５７を形成する際に同時に独立して突出させた天板５２を、下向きに折り曲げた曲げ片５２ａによって覆われている。
【００３５】
庇１ａは、次のようにして製造される。図２０に示すように、前述した製造工程と同様に、底面板２の上面の四側辺に沿って補強用縁部材６を嵌合して接着した前記雨樋２０，３０，４０を接着剤で接着する。次いで、四側辺の上記縁部材６に囲まれた底面板２の上面に、３分割された平面視が矩形の芯材ｓを接着し、係る芯材ｓ，ｓ間に底面板２が露出する凹溝５０を形成する。係る凹溝５０内にブラケットｂ３，ｂ４の切り欠き部５７，５８間の下半部を挿入し且つその底板５５と底面板２とを接着する。これによって、庇１ａを得ることができる。
尚、ブラケットｂ３，ｂ４の縦板５４の上半部と先端側および建物側の雨樋３０，４０の上フランジ３６，４６との間に図示しない連結用アングルを配置し且つネジ止めして補強しても良い。
以上のような庇１ａによれば、サンドイッチパネルＰを庇本体とし、係るパネルＰに一体化された水平姿勢のブラケットｂ３，ｂ４を備えているため、庇１ａ自体を容易に製作でき且つ建物への取り付けも容易にできると共に、外観意匠もシンプルで良好なものにできる。
【００３６】
本発明は、以上に説明した各形態に限定されるものではない。
例えば、庇１，１ａにおいて、それらの寸法が小さい場合、ブラケットを１つとしたり、庇１，１ａの寸法が大きい場合、３つ以上とすることもできる。尚、ブラケットが３つ以上の場合、パネルＰは平面視で建物の外壁に沿って細長い長方形の形態が好適となる。
また、図２１に示すように、２つのブラケットｂ５，ｂ６をパネルＰにおける建物の外壁と平行なっ幅方向の両端のみに配置し、それらの間に１枚の上面板３ｄのみを配置する形態の庇１ｂとしても良い。
【００３７】
更に、図２２に示す庇１ｃのように、パネルＰの四側面に配設する共通の雨樋６０は、それらの水受け面６２が全て同じ高さでも良い。庇１ｃは、パネルＰ自体を建物側が先端側よりも僅かに低くなる、即ち、パネルＰの上面板２より計って全部の雨樋６０の水受け面６２の高さを同じとし、パネルＰ自体が建物側に向かって下がる水勾配を形成するように、ブラケットｂ１，ｂ２の角度を調整して建物に固定する。
上記共通の雨樋６０は、前記同様のアルミニウム合金からなる押出形材からなり、図２２中のＦ−Ｆ線に沿った矢視の断面である図２３で例示するように、水受け面６２を有する水平壁６１、その先端から立設する外フランジ６４、パネルＰ寄りの内フランジ６５、および係る内フランジ６５の上下端からパネルＰ寄り且つ水平に伸びる上下一対の水平片６６，６８を一体に備えている。
【００３８】
尚、図２２で示すように、両側に配置される共通の雨樋６０の両端面を、先端側および建物側に配置される共通の雨樋６０の両端部が覆うように横通しにして４つの共通の雨樋６０が配置され、建物側に配置される雨樋６０の両端には、水受け面６２が外側に露出する排水口６９が開口している。また、庇１ｃには、前記ブラケットｂ３，ｂ４、あるいは前記ブラケットｂ５，ｂ６を用いても良い。
更に、前記雨樋６０に替えて、図２４に示すように、内曲げ片６６，６８の内端間に垂直壁６９を立設して中空部６３を有する共通の雨樋６０′としても良い。係る雨樋６０′では、図２４に示すように、前記補強用縁部材６を省略でき、連結用アングル５と垂直壁６９とをネジｎで直接固定することができる。
【００３９】
更に、図１，１９，２１，２２で示した庇１，１ａ，１ｂ，１ｃにおいて、水勾配を先端側に向けて設ける形態では、先端側の雨樋３０，３０′(６０，６０′)および両側の雨樋２０(６０，６０′)をパネルＰの三側面に配設し、建物側の雨樋４０，４０′(６０，６０′)を省略することも可能である。
また、底面板、芯材、および上面板からなる前記パネルＰにブラケットが一体化されており且つ四側面の雨樋を省略した形態も本発明の庇に含まれる。
加えて、芯材ｓは、前記形態に限らず、アルミニウム箔や紙やセラミックなどのハニカムコア材、同様な素材からなり多数の円筒形を呈するコア材、硬質発泡ポリウレタン、水酸化アルミウレタン、炭酸カルシウム発泡板を用いても良い。
【図面の簡単な説明】
【００４０】
【図１】本発明における１形態の庇を示す斜視図。
【図２】図１中のＡ−Ａ線に沿った矢視における断面図。
【図３】上記庇に用いるブラケットを示す斜視図。
【図４】図３中のＢ−Ｂ線に沿った矢視における断面図。
【図５】上記ブラケットの加工工程を示す概略図。
【図６】図５に続く加工工程を示す概略図。
【図７】図６に続く加工工程を示す概略図。
【図８】図１中のＣ−Ｃ線に沿った矢視における断面図。
【図９】両側面の雨樋を示す斜視図。
【図１０】上記雨樋を得るための加工工程を示す概略図。
【図１１】図１中のＤ−Ｄ線に沿った矢視における断面図。
【図１２】軒先側面の雨樋を示す斜視図。
【図１３】図１中のＥ−Ｅ線に沿った矢視における断面図。
【図１４】建物側面の雨樋を示す斜視図。
【図１５】上記庇の製造工程を示す概略図。
【図１６】図１５に続く製造工程を示す概略図。
【図１７】図１６に続く製造工程を示す概略図。
【図１８】図１７に続く製造工程を示す概略図。
【図１９】異なる形態の庇を示す斜視図。
【図２０】上記庇の分解斜視図。
【図２１】更に異なる形態の庇を示す斜視図。
【図２２】更に別形態の庇を示す斜視図。
【図２３】図２２中のＦ−Ｆ線に沿った矢視における断面図。
【図２４】異なる形態の雨樋を用いた庇を示す図２３と同様な断面図。
【図２５】更に異なる形態の雨樋を用いた庇を示す図１１と同様な断面図。
【図２６】別なる形態の雨樋を用いた庇を示す図１３と同様な断面図。
【符号の説明】
【００４１】
１，１ａ〜１ｃ………庇
２………………………底面板
３ａ〜３ｄ……………上面板
８………………………補強部材
１０，５９……………固定部
２０……………………両側の雨樋
２０ａ…………………押出形材
２２,３２,４２,６２…水受け面
２３，２７……………上フランジ
２４，２９……………下フランジ
３０，３０′…………先端側の雨樋
４０，４０′…………建物側の雨樋
６０，６０′…………共通の雨樋
ｂ１〜ｂ６……………ブラケット
ｓ………………………芯材
ｋ………………………傾斜辺
Ｐ………………………サンドイッチパネル(パネル)
【図１】
2005207006.tif 000003
【図２】
2005207006.tif 000004
【図３】
2005207006.tif 000005
【図４】
2005207006.tif 000006
【図５】
2005207006.tif 000007
【図６】
2005207006.tif 000008
【図７】
2005207006.tif 000009
【図８】
2005207006.tif 000010
【図９】
2005207006.tif 000011
【図１０】
2005207006.tif 000012
【図１１】
2005207006.tif 000013
【図１２】
2005207006.tif 000014
【図１３】
2005207006.tif 000015
【図１４】
2005207006.tif 000016
【図１５】
2005207006.tif 000017
【図１６】
2005207006.tif 000018
【図１７】
2005207006.tif 000019
【図１８】
2005207006.tif 000020
【図１９】
2005207006.tif 000021
【図２０】
2005207006.tif 000022
【図２１】
2005207006.tif 000023
【図２２】
2005207006.tif 000024
【図２３】
2005207006.tif 000025
【図２４】
2005207006.tif 000026
【図２５】
2005207006.tif 000027
【図２６】
2005207006.tif 000028